(57)【要約】【課題】電球ソケットに接続して用いるプロジェクターであって、冷却部を備えるものを提供する。【解決手段】電球ソケットに接続可能な接続部１０と、接続部１０からの電力を供給する電源部２０と、光を射出する光源部５０Ｒ，５０Ｇ，５０Ｂ及び光源部５０Ｒ，５０Ｇ，５０Ｂからの光を画像情報に応じて変調する光変調部７０Ｒ，７０Ｇ，７０Ｂを有する光学エンジン部４０と、接続部１０と光学エンジン部４０との間に配置され、空気を流通させて電源部２０と光学エンジン部４０とを冷却する冷却部３０と、を備えるプロジェクター１０００。【選択図】図１
2014102312.tif 000002
【特許請求の範囲】
【請求項１】
電球ソケットに接続可能な接続部と、
前記接続部からの電力を供給する電源部と、
光を射出する光源部及び前記光源部からの光を画像情報に応じて変調する光変調部を有する光学エンジン部と、
前記接続部と前記光学エンジン部との間に配置され、空気を流通させて前記電源部と前記光学エンジン部とを冷却する冷却部と、を備えることを特徴とするプロジェクター。
【請求項２】
請求項１に記載のプロジェクターにおいて、
前記接続部及び前記光学エンジン部は、前記冷却部を挟んで対向する位置にそれぞれ配置されることを特徴とするプロジェクター。
【請求項３】
請求項１又は２に記載のプロジェクターにおいて、
前記冷却部は、前記光学エンジン部側から前記接続部側に向かって空気の流れを作り出すことを特徴とするプロジェクター。
【請求項４】
請求項１〜３のいずれかに記載のプロジェクターにおいて、
前記光学エンジン部は、
前記光変調部により変調された光を投写する投写光学系と、
前記光学エンジン部に対して前記投写光学系が光を投写する側以外の側に、前記光源部からの熱を放熱させる放熱部と、を有することを特徴とするプロジェクター。
【請求項５】
請求項４に記載のプロジェクターにおいて、
前記光学エンジン部は、複数の光源部と、前記複数の光源部に対応する複数の放熱部と、を有することを特徴とするプロジェクター。
【請求項６】
請求項５に記載のプロジェクターにおいて、
前記光学エンジン部は、３つの光源部と、前記３つの光源部からの光を合成して射出する光合成部を有し、
前記３つの光源部のうち１つの光源部は、前記光合成部に対し前記投写光学系が光を投写する投写方向とは反対方向に配置され、
残りの２つの光源部は、前記光合成部に対し前記投写方向に略直交する方向に配置され、
前記１つの光源部に対応する放熱部は、前記１つの光源部と前記冷却部との間に配置され、
前記残りの２つの光源部に対応する放熱部は、前記２つの光源部に対し前記投写方向に略直交する方向に配置されることを特徴とするプロジェクター。
【請求項７】
請求項１〜６のいずれかに記載のプロジェクターにおいて、
前記接続部は、ねじ込み式電球ソケットに接続可能であることを特徴とするプロジェクター。
【発明の詳細な説明】
【技術分野】
【０００１】
本発明は、プロジェクターに関する。
【背景技術】
【０００２】
従来、空気を流通させて内部機構を冷却する冷却部を備えるプロジェクターが広く知られている（例えば、特許文献１参照。）。従来のプロジェクターによれば、冷却部によりプロジェクターの内部機構（例えば、電源部や光学エンジン部）を冷却することが可能となる。
【先行技術文献】
【特許文献】
【０００３】
【特許文献１】特開２００５−３１１０６号公報
【発明の概要】
【発明が解決しようとする課題】
【０００４】
しかしながら、広く知られている従来のプロジェクターは、電池やコンセント等からの電力を利用する一般的な型のものであり、当然、冷却部の構成及び配置もそれに応じたものが知られている。このため、電球ソケットから供給される電力を利用するプロジェクター、つまり、電球ソケットに接続して用いるプロジェクターについては、冷却部を備えることや、冷却部の構成や配置は知られていない。また、電球ソケットに接続して用いるプロジェクターに関しては、その性質上小型化が強く求められるため、従来知られている冷却部の構成及び配置をそのまま利用することは困難である。
【０００５】
そこで、本発明は、上記事情に鑑みてなされたもので、電球ソケットに接続して用いるプロジェクターであって、冷却部を備えるものを提供することを目的の一つとする。
【課題を解決するための手段】
【０００６】
本発明のプロジェクターは、電球ソケットに接続可能な接続部と、前記接続部からの電力を供給する電源部と、光を射出する光源部及び前記光源部からの光を画像情報に応じて変調する光変調部を有する光学エンジン部と、前記接続部と前記光学エンジン部との間に配置され、空気を流通させて前記電源部と前記光学エンジン部とを冷却する冷却部と、を備えることを特徴とする。
【０００７】
本発明のプロジェクターによれば、接続部と光学エンジン部との間に配置され、空気を流通させて電源部と光学エンジン部とを冷却する冷却部を備えるため、コンパクトな冷却経路を構成することができ、プロジェクターの小型化に貢献することが可能となる。
【０００８】
また、本発明のプロジェクターによれば、上記した冷却部を備えるため、１つの冷却部で主要な構成要素を冷却することが可能となり、プロジェクターのコストを低減させることが可能となる。
【０００９】
また、本発明のプロジェクターによれば、従来のプロジェクターと同様に、冷却部を備えるため、冷却部によりプロジェクターの内部機構を冷却することが可能となる。
【００１０】
また、本発明のプロジェクターによれば、電球ソケットに接続可能な接続部を備えるため、電球ソケットが設置されている場所ならば、手軽に取り付けること及び使用することが可能となる。
【００１１】
なお、電源部については、電源部の全部が接続部内に配置されるようにしてもよいし、電源部の一部が光学エンジン部の近くに配置されるようにしてもよい。
【００１２】
本明細書において「電球ソケット」とは、電球を取り付けるためのソケット全般のことをいう。このような電球ソケットとしては、内部側面にねじ山を有し、内部側面と内部底面とが電極になっているもの（いわゆるねじ込み式電球ソケット）が広く用いられているが、本発明のプロジェクターは、対応する接続部を用いることで、ねじ込み式電球ソケットのみならず他の種類の電球ソケット（例えば、引っ掛け式電球ソケット）にも広く適用することが可能である。
【００１３】
本発明のプロジェクターにおいては、前記接続部及び前記光学エンジン部は、前記冷却部を挟んで対向する位置にそれぞれ配置されることが好ましい。
【００１４】
このような構成とすることにより、単純な構成の冷却部（例えば、軸流式のファンを有するもの）を用いて主要な構成要素を冷却することが可能となる。
【００１５】
本発明のプロジェクターにおいては、前記冷却部は、前記光学エンジン部側から前記接続部側に向かって空気の流れを作り出すことが好ましい。
【００１６】
このような構成とすることにより、発熱量や耐熱温度の観点から冷却の必要性が高い光源部及び光変調部を先に冷却し、プロジェクターの動作安定性を確保することが可能となる。
【００１７】
また、上記のような構成とすることにより、プロジェクターが画像を投写する側から電球ソケットの側に向かう空気の流れを作ることができるため、温まった空気により投写画像が揺らいでしまうのを抑制することが可能となる。
【００１８】
本発明のプロジェクターにおいては、前記光学エンジン部は、前記光変調部により変調された光を投写する投写光学系と、前記光学エンジン部に対して前記投写光学系が光を投写する側以外の側に、前記光源部からの熱を放熱させる放熱部と、を有することが好ましい。
【００１９】
このような構成とすることにより、光源部を効率的に冷却することが可能となる。
【００２０】
また、上記のような構成とすることにより、光源部から他の構成要素（例えば、光変調部）に伝導される熱を大きく低減することが可能となる。
【００２１】
本発明のプロジェクターにおいては、前記光学エンジン部は、複数の光源部と、前記複数の光源部に対応する複数の放熱部と、を有することが好ましい。
【００２２】
このような構成とすることにより、光源部ごとに異なる色光を射出すれば、白色光を射出する１つの光源部からの光を複数の色光に分離させることなく、多色カラーの投写画像を投写することが可能となる。また、複数の色光に分離させる構成が必要無いので、プロジェクターの小型化に寄与することが可能となる。
【００２３】
上記の構成においては、複数の放熱部がそれぞれ他の放熱部と熱伝導しないように配置されることが好ましい。このような構成とすることにより、放熱部から放熱部への熱の伝導を抑制し、例えば、発熱量が大きい又は耐熱温度が低い光源部には大きな放熱部を対応させ、発熱量が小さい又は耐熱温度が低い光源部には小さな放熱部を対応させるといったように、それぞれの光源部に適した冷却を行うことが可能となる。
【００２４】
本発明のプロジェクターによれば、前記光学エンジン部は、３つの光源部と、前記３つの光源部からの光を合成して射出する光合成部を有し、前記３つの光源部のうち１つの光源部は、前記光合成部に対し前記投写光学系が光を投写する投写方向とは反対方向に配置され、残りの２つの光源部は、前記光合成部に対し前記投写方向に略直交する方向に配置され、前記１つの光源部に対応する放熱部は、前記１つの光源部と前記冷却部との間に配置され、前記残りの２つの光源部に対応する放熱部は、前記２つの光源部に対し前記投写方向に略直交する方向に配置されることが好ましい。
【００２５】
このような構成とすることにより、３つの光源部を用いるプロジェクターにおいて、各放熱部を適切な位置に配置し、各光源部を効率的に冷却することが可能となる。
【００２６】
本発明のプロジェクターにおいては、前記接続部は、ねじ込み式電球ソケットに接続可能であることが好ましい。
【００２７】
このような構成とすることにより、プロジェクターを、広く使われているねじ込み式電球ソケットに接続して用いることが可能となる。
【図面の簡単な説明】
【００２８】
【図１】実施形態１に係るプロジェクター１０００を説明するために示す図。
【図２】実施形態１に係るプロジェクター１０００の冷却部３０による空気の流れを説明するために示す図。
【図３】実施形態１における放熱部１００Ｒ，１００Ｇ，１００Ｂの斜視図。
【図４】実施形態２に係るプロジェクター１００２を説明するために示す図。
【図５】実施形態３に係るプロジェクター１００４の冷却部３２による空気の流れを説明するために示す図。
【発明を実施するための形態】
【００２９】
以下、本発明のプロジェクターの実施形態について説明する。
【００３０】
［実施形態１］
図１は、実施形態１に係るプロジェクター１０００を説明するために示す図である。図１（ａ）はプロジェクター１０００の正面図であり、図１（ｂ）はカバー１２０を取り除いた状態のプロジェクター１０００の正面図であり、図１（ｃ）は図１（ａ）のＡ−Ａ断面図である。なお、図１を含む各図においては、プロジェクター１０００の構成要素のうち、本発明に関連しない構成要素の図示は省略している。
【００３１】
図２は、実施形態１に係るプロジェクター１０００の冷却部３０による空気の流れを説明するために示す図である。図２において符号Ｆで示す曲線矢印は、概略的な空気の流れを表すものである。
図３は、実施形態１における放熱部１００Ｒ，１００Ｇ，１００Ｂの斜視図である。図３（ａ）は放熱部１００Ｇの斜視図であり、図３（ｂ）は放熱部１００Ｒの斜視図であり、図３（ｃ）は放熱部１００Ｂの斜視図である。
【００３２】
プロジェクター１０００は、図１に示すように、接続部１０と、電源部２０と、冷却部３０と、光学エンジン部４０と、カバー１２０とを備える。
【００３３】
接続部１０は、外部から電流を供給する電球ソケットに接続可能に構成されている。さらにいえば、接続部１０は、先端部に位置する第１接点部１２と、らせん状のねじ山（右ねじ）が形成されている第２接点部１４とを有し、本実施形態においては、Ｅ２６で規定されるねじ込み式電球ソケットに対応する。なお、プロジェクター１０００は、電球ソケットに接続可能な接続部１０を有することで、種々の電球ソケット、例えば、Ｅ２６以外のねじ込み式電球ソケットや引っ掛け式電球ソケットに対応することができる。
また、接続部１０は、空気の取入口及び排出口となるスリット１６をさらに有する。
【００３４】
電源部２０は、接続部１０内に配置され、電球ソケットから接続部１０を介して送られてきた電流を、プロジェクター１０００の駆動用電流（電力）として他の構成要素、例えば、後述する各光源部５０Ｒ、５０Ｇ、５０Ｂや冷却部３０などに供給する。こうした電源部２０の全体としての構成は広く知られているため、ここでの詳細な説明は省略する。本実施形態に係るプロジェクター１０００においては、図１（ｃ）に示すように、電源部２０の一部が接続部１０内に配置されており、電源部２０の他の部分は、後述する基板１１０付近に配置されている（図示せず。）。電源部２０の一部は、例えば、１次フィルターを有する。
【００３５】
冷却部３０は、接続部１０と光学エンジン部４０との間に配置され、空気を流通させて接続部１０内に配置された電源部２０と光学エンジン部４０とを冷却する。冷却部３０に対して、接続部１０と光学エンジン部４０とは、冷却部３０を挟んで対向する位置にそれぞれ配置されている。冷却部３０は、例えば軸流式のファンを有する。
冷却部３０は、図２に示すように、光学エンジン部４０側から接続部１０側、すなわち電源部２０側に向かう空気の流れを作り出す。このため、プロジェクター１０００が投写画像を投写する側の空気が光学エンジン部４０を冷却した後冷却部３０を通過し、さらに電源部２０を冷却してスリット１６から外部に排出されることとなる。
【００３６】
光学エンジン部４０は、図１に示すように、光源部５０Ｒ，５０Ｇ，５０Ｂと、光平行化光学系６０Ｒ，６０Ｇ，６０Ｂと、光変調部７０Ｒ，７０Ｇ，７０Ｂと、クロスダイクロイックプリズム８０と、投写光学系９０と、放熱部１００Ｒ，１００Ｇ，１００Ｂと、基板１１０とを有する。
【００３７】
光学エンジン部４０は、３つの光源部（光源部５０Ｒ，５０Ｇ，５０Ｂ）を有する。光源部５０Ｒ，５０Ｇ，５０Ｂは、光を射出する。さらにいえば、光源部５０Ｒは発光部５２Ｒ（符号を図示せず。）から赤色光を射出し、光源部５０Ｇは発光部５２Ｇ（符号を図示せず。）から緑色光を射出し、光源部５０Ｂは発光部５２Ｂ（符号を図示せず。）から青色光を射出する。
３つの光源部５０Ｒ，５０Ｇ，５０Ｂのうち１つの光源部５０Ｇは、光合成部であるクロスダイクロイックプリズム８０に対し投写光学系９０が光を投写する投写方向とは反対方向に配置されている。また、残りの２つの光源部５０Ｒ，５０Ｂは、光合成部に対し投写方向に略直交する方向に配置されている。
光源部５０Ｒ，５０Ｇ，５０Ｂが有する発光部５２Ｒ，５２Ｇ，５２Ｂとしては、例えば、発光ダイオード（ＬＥＤ）、半導体レーザー（ＬＤ）及び有機ＥＬ（ＯＬＥＤ）を例示することができる。なお、プロジェクターの大きさ等の事情が許す場合には、メタルハライドランプ、高圧水銀ランプ、超高圧水銀ランプ等他の光源を用いてもよい。なお、特許請求の範囲における光源部は、発光部５２Ｒ、５２Ｇ、５２Ｂの少なくともいずれか一つ、又は、発光部５２Ｒ、５２Ｇ、５２Ｂをそれぞれ含む光源部５０Ｒ、５０Ｇ、５０Ｂの少なくともいずれか一つに相当する。
【００３８】
光平行化光学系６０Ｒ，６０Ｇ，６０Ｂは、それぞれ対応する光源部５０Ｒ，５０Ｇ，５０Ｂからの光を略平行光とする。このような光学系は広く知られているため、ここでの詳細な説明は省略する。なお、必要であれば光源部５０Ｒ，５０Ｇ，５０Ｂからの光を均一化する光均一化光学系（インテグレーター光学系）をさらに用いることもできる。また、光源部５０Ｒ，５０Ｇ，５０Ｂが射出する光が平行光である場合には、光平行化光学系を用いなくてもよい。
【００３９】
光変調部７０Ｒ，７０Ｇ，７０Ｂは、それぞれ対応する光源部５０Ｒ，５０Ｇ，５０Ｂからの光を画像情報に応じて変調する。光変調部７０Ｒ，７０Ｇ，７０Ｂは、一対の透明なガラス基板に電気光学物質である液晶を密閉封入した液晶型の光変調装置であり、光源部５０Ｒ，５０Ｇ，５０Ｂからの光を画像情報に応じて変調する透過型の光変調装置である。光変調部７０Ｒ，７０Ｇ，７０Ｂは、例えば、ポリシリコンＴＦＴをスイッチング素子として、与えられた画像情報に応じて光の偏光の方向を変調する。なお、図示を省略したが、光変調部７０Ｒ，７０Ｇ，７０Ｂの光源部５０Ｒ，５０Ｇ，５０Ｂからの光の進行方向に対する前後には、それぞれ、入射側偏光板及び射出側偏光板が介在配置される。これら入射側偏光板、各光変調部及び射出側偏光板によって、入射した各色光の光変調が行われる。
【００４０】
クロスダイクロイックプリズム８０は、３つの光源部５０Ｒ，５０Ｇ，５０Ｂからの光を合成して射出する光合成部であり、さらにいえば、色光毎に変調された光学像を合成してカラー画像を形成する光学素子である。このクロスダイクロイックプリズム８０は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００４１】
投写光学系９０は、投写レンズや焦点調整機構を有し、投写画像として投写する。なお、投写光学系９０が光を投写する方向を投写方向とする。
投写光学系９０の好ましい構成については広く知られているため、図示及び詳細な説明は省略する。
【００４２】
光学エンジン部４０は、複数の光源部（３つの光源部５０Ｒ，５０Ｇ，５０Ｂ）に対応する複数の放熱部（３つの放熱部１００Ｒ，１００Ｇ，１００Ｂ）を有する。放熱部１００Ｒ，１００Ｇ，１００Ｂは、光源部５０Ｒ，５０Ｇ，５０Ｂがそれぞれ光を射出する側以外の側に配置され、光源部５０Ｒ，５０Ｇ，５０Ｂにおける発光部５２Ｒ，５２Ｇ，５２Ｂからの熱を放熱させる。放熱部１００Ｒ，１００Ｇ，１００Ｂは、いわゆるヒートシンクとして機能し、例えば、アルミニウムのように熱伝導性のよい物質からなる。
【００４３】
放熱部１００Ｒ，１００Ｇ，１００Ｂは、図１（ｂ）及び図３に示すように、それぞれが対応する光源部５０Ｒ，５０Ｇ，５０Ｂの熱的特性及び配置位置に応じて異なる大きさ及び形状を有する。放熱部１００Ｒ，１００Ｇ，１００Ｂは、それぞれ他の放熱部と熱伝導しないように配置されている。上記のような配置としては、例えば、放熱部１００Ｒ，１００Ｇ，１００Ｂは、互いに接触しないような配置や、互いの間に非伝熱部材を介入させる配置など、互いに非熱伝導となる種々の配置を採用可能である。
【００４４】
光源部５０Ｇに対応する放熱部１００Ｇは、図１（ｂ）及び図１（ｃ）に示すように、接続部１０に近い位置、より具体的には、クロスダイクロイックプリズム８０に対して投写光学系９０が配置される側と反対側に配置される光源部５０Ｇと、冷却部３０との間に配置されている。放熱部１００Ｇは、図３（ａ）に示すように、中心部１０２Ｇからフィン１０４Ｇが放射状に伸びる形状を有する。
【００４５】
光源部５０Ｒ，５０Ｂに対応する放熱部１００Ｒ，１００Ｂは、図１（ｂ）及び図１（ｃ）に示すように、側面側の位置、より具体的には、クロスダイクロイックプリズム８０に対して投写光学系９０が光を投写する方向に対して略直交する側に配置される光源部５０Ｒ，５０Ｂの、それぞれ光源部５０Ｒ，５０Ｂに対し投写方向に略直交する方向（外側）に配置されている。放熱部１００Ｒ，１００Ｂは、図３（ｂ）及び図３（ｃ）に示すように、円錐の部分外面状の基部１０２Ｒ，１０２Ｂからフィン１０４Ｒ，１０４Ｂが放射状に伸びる形状を有する。
放熱部１００Ｒは、放熱部１００Ｂよりも大きい。これは、光源部５０Ｒの熱的特性上、光源部５０Ｂよりもより冷却が必要なためである。なお、放熱部の大きさ及び形状は、用いる光源部の熱的特性及び配置位置に応じて様々に設定することができる。
【００４６】
基板１１０は、プロジェクター１０００を駆動するための電子部品を搭載する。
【００４７】
カバー１２０は、プロジェクター１０００が投写画像を投写する側から冷却部３０側に向かって断面積が小さくなる略楔形状を有し、光学エンジン部４０を囲うように配置されている。当該カバー１２０を配置することにより、空気が光学エンジン部４０付近を通過するように構成でき、冷却効率を向上させることが可能となる。また、カバー１２０の形状が、前述の通り投写方向側から冷却部３０側に向かって断面積が小さくなる略楔形状となっていることにより、冷却部３０側に近づくほど空気の流れを速くすることができ、冷却効率を一層向上させることが可能となる。
【００４８】
次に、本実施形態に係るプロジェクター１０００の効果を説明する。
【００４９】
本実施形態に係るプロジェクター１０００によれば、接続部１０と光学エンジン部４０との間に配置され、空気を流通させて電源部２０と光学エンジン部４０とを冷却する冷却部３０を備えるため、コンパクトな冷却経路を構成することができ、プロジェクターの小型化に貢献することが可能となる。
【００５０】
また、本実施形態に係るプロジェクター１０００によれば、冷却部３０を備えるため、１つの冷却部で主要な構成要素を冷却することが可能となり、プロジェクターのコストを低減させることが可能となる。
【００５１】
また、本実施形態に係るプロジェクター１０００によれば、従来のプロジェクターと同様に冷却部３０を備えるため、冷却部によりプロジェクターの内部機構を冷却することが可能となる。
【００５２】
また、本実施形態に係るプロジェクター１０００によれば、電球ソケットに接続可能な接続部１０を備えるため、電球ソケットが設置されている場所ならば、手軽に取り付けること及び使用することが可能となる。
【００５３】
また、本実施形態に係るプロジェクター１０００によれば、接続部１０及び光学エンジン部４０は、冷却部３０を挟んで対向する位置に配置されているため、単純な構成の冷却部を用いて主要な構成要素を冷却することが可能となる。
【００５４】
また、本実施形態に係るプロジェクター１０００によれば、冷却部３０は、光学エンジン部４０側から接続部１０側に向かって空気の流れを作り出すため、発熱量や耐熱温度の観点から冷却の必要性が高い光源部５０Ｒ，５０Ｇ，５０Ｂ及び光変調部７０Ｒ，７０Ｇ，７０Ｂを先に冷却し、プロジェクターの動作安定性を確保することが可能となる。
【００５５】
また、本実施形態に係るプロジェクター１０００によれば、プロジェクター１０００が画像を投写する側から電球ソケットの側に向かう空気の流れを作ることができるため、温まった空気により投写画像が揺らいでしまうのを抑制することが可能となる。
【００５６】
また、本実施形態に係るプロジェクター１０００によれば、光学エンジン部４０は、光源部５０Ｒ，５０Ｇ，５０Ｂにおける発光部５２Ｒ，５２Ｇ，５２Ｂからの熱を放熱させる放熱部１００Ｒ，１００Ｇ，１００Ｂを有するため、発光部を効率的に冷却することが可能となる。
【００５７】
また、本実施形態に係るプロジェクター１０００によれば、放熱部１００Ｒ，１００Ｇ，１００Ｂを有するため、光源部から他の構成要素に伝導される熱を大きく低減することが可能となる。
【００５８】
また、本実施形態に係るプロジェクター１０００によれば、光学エンジン部４０は、複数の光源部（光源部５０Ｒ，５０Ｇ，５０Ｂ）を有するため、白色光を射出する１つの光源部からの光を複数の色光に分離させることなく、多色カラーの投写画像を投写することが可能となる。また、複数の色光に分離させる構成が必要無いので、プロジェクター１０００の小型化に寄与することが可能となる。
【００５９】
また、本実施形態に係るプロジェクター１０００によれば、放熱部１００Ｒ，１００Ｇ，１００Ｂがそれぞれ他の放熱部と熱伝導しないように配置されているため、放熱部から放熱部への熱の伝導を抑制し、それぞれの光源部に適した冷却を行うことが可能となる。
【００６０】
また、本実施形態に係るプロジェクター１０００によれば、３つの光源部５０Ｒ，５０Ｇ，５０Ｂのうち１つの光源部５０Ｇは、クロスダイクロイックプリズム８０に対し投写光学系９０が光を投写する投写方向とは反対方向に配置され、残りの２つの光源部５０Ｒ，５０Ｂは、クロスダイクロイックプリズム８０に対し投写方向に略直交する方向に配置され、１つの光源部５０Ｇに対応する放熱部１００Ｇは、１つの光源部５０Ｇと冷却部３０との間に配置され、残りの２つの光源部５０Ｒ，５０Ｂに対応する放熱部１００Ｒ，１００Ｂは、２つの光源部５０Ｒ，５０Ｂに対し投写方向に略直交する方向に配置されるため、３つの光源部５０Ｒ，５０Ｇ，５０Ｂを用いるプロジェクター１０００において、各放熱部を適切な位置に配置し、各光源部を効率的に冷却することが可能となる。
【００６１】
また、本実施形態に係るプロジェクター１０００によれば、接続部１０は、ねじ込み式電球ソケットに接続可能であるため、プロジェクターを広く使われているねじ込み式電球ソケットに接続して用いることが可能となる。
【００６２】
［実施形態２］
図４は、実施形態２に係るプロジェクター１００２を説明するために示す図である。図４は図１（ａ）に対応する正面図である。
【００６３】
本実施形態に係るプロジェクター１００２は、基本的には上記実施形態に係るプロジェクター１０００と同様の構成を有するが、図４に示すように、カバー１２０を備えない点が実施形態１に係るプロジェクター１０００の場合とは異なる。
【００６４】
このように、本実施形態に係るプロジェクター１００２は、カバー１２０を備えない点が上記実施形態に係るプロジェクター１０００の場合とは異なるが、接続部１０と光学エンジン部４０との間に配置され、空気を流通させて電源部２０と光学エンジン部４０とを冷却する冷却部３０を備えるため、上記実施形態に係るプロジェクター１０００と同様に、コンパクトな冷却経路を構成することができ、プロジェクターの小型化に貢献することが可能となる。
【００６５】
なお、本実施形態に係るプロジェクター１００２は、カバー１２０を備えない点以外は上記実施形態に係るプロジェクター１０００と同様の構成を有するため、上記実施形態に係るプロジェクター１０００が有する効果のうち、プロジェクター１０００がカバー１２０を有することにより奏する効果以外の効果を同様に有する。
【００６６】
［実施形態３］
図５は、実施形態３に係るプロジェクター１００４の冷却部３２による空気の流れを説明するために示す図である。図５において符号Ｆで示す曲線矢印は、概略的な空気の流れを表すものである。
【００６７】
本実施形態に係るプロジェクター１００４は、基本的には上記実施形態に係るプロジェクター１０００と同様の構成を有するが、冷却部の構成が上記実施形態に係るプロジェクター１０００の場合と異なる。具体的には、プロジェクター１００４は、図５に示すように、接続部１０側から光学エンジン部４０側に向かって空気の流れを作り出す冷却部３２を備える。
【００６８】
冷却部３２は、上記実施形態における冷却部３０に対し、空気の流れを作り出す方向が逆である。例えば、接続部１０や電源部２０を優先的に冷却する必要がある場合や、接続部１０や電源部２０の発熱量が小さく、光学エンジン部４０を十分に冷却することができる場合には、本実施形態における冷却部３２の構成をとることができる。
【００６９】
このように、本実施形態に係るプロジェクター１００４は、冷却部３２の構成が上記実施形態に係るプロジェクター１０００の冷却部３０と異なるが、冷却部３２は、接続部１０と光学エンジン部４０との間に配置され、電源部２０と光学エンジン部４０とを冷却するため、上記実施形態に係るプロジェクター１０００と同様に、コンパクトな冷却経路を構成することができ、プロジェクターの小型化に貢献することが可能となる。
【００７０】
なお、本実施形態に係るプロジェクター１００４は、冷却部３２の構成以外は上記実施形態に係るプロジェクター１０００と同様の構成を有するため、上記実施形態に係るプロジェクター１０００が有する効果のうち、プロジェクター１０００が冷却部３０を有することにより奏する効果以外の効果をそのまま有する。
【００７１】
［変形例］
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００７２】
上記各実施形態において記載した各構成要素の寸法、個数、材質及び形状は例示であり、本発明の効果を損なわない範囲において変更することが可能である。
【００７３】
上記各実施形態において、電源部２０は、接続部１０の内部に配置するようにしたが、本発明はこれに限定されるものではない。電源部２０は、接続部１０を介して電球ソケットからの電流（電力）を各光源部（発光部）や冷却部などの各部品に供給可能な構成であれば、一部が接続部１０内に配置される構成でもよく、また、接続部１０の外部に配置される構成でもよい。
【００７４】
上記各実施形態においては、光変調部として液晶型の光変調装置を用いたが、本発明はこれに限定されるものではない。光変調部としては、一般に光源部からの光を画像情報に応じて変調するものであればよく、例えば、マイクロミラー型光変調装置等を用いてもよい。マイクロミラー型光変調装置としては、例えば、ＤＭＤ（デジタルマイクロミラーデバイス）を用いることができる。
【００７５】
上記各実施形態においては、３つの光変調部を備えるプロジェクターを例示して説明したが、本発明はこれに限定されるものではない。１つ、２つ又は４つ以上の光変調部を用いたプロジェクターにも適用可能である。例えば、１つの液晶型の光変調部を有するプロジェクターの場合、１つの光変調部は、光合成部の後段に配置される構成が挙げられる。また、プロジェクターが光合成部の後段に光均一化光学系を備える場合には、１つの光変調部は、光均一化光学系と投写光学系との間に配置される構成が挙げられる。また、１つの光変調部は、光均一化光学系内に配置される構成としてもよい。
【符号の説明】
【００７６】
１０…接続部、１２…第１接点部、１４…第２接点部、１６…スリット、２０…電源部、３０，３２…冷却部、４０…光学エンジン部、５０Ｒ，５０Ｇ，５０Ｂ…光源部、６０Ｒ，６０Ｇ，６０Ｂ…光平行化光学系、７０Ｒ，７０Ｇ，７０Ｂ…光変調部、８０…クロスダイクロイックプリズム、９０…投写光学系、１００Ｒ，１００Ｇ，１００Ｂ…放熱部、１０２Ｒ，１０２Ｂ…基部、１０２Ｇ…中心部、１０４Ｒ，１０４Ｇ，１０４Ｂ…フィン、１１０…基板、１２０…カバー、１０００，１００２，１００４…プロジェクター
【図１】
2014102312.tif 000003
【図２】
2014102312.tif 000004
【図３】
2014102312.tif 000005
【図４】
2014102312.tif 000006
【図５】
2014102312.tif 000007